(57)【要約】【課題】パレットへの梱包箱の組付けが簡単で、しかも、梱包箱を、膨らませることなく、正常な形状に安定維持できるパレット用梱包箱及びパレットを提供する。【解決手段】パレット用梱包箱１０は、少なくとも４つの側壁１２を有する筒状の箱本体１１を備えている。箱本体１１の四隅の下端には、水平断面が略Ｌ字状に形成されると共に下方に突出する嵌合部２２であって、前記パレット１の四隅の外周側面に嵌合可能な嵌合部２２を形成する。また、嵌合部２２及び／又は側壁１２の内側に、パレット１に係合可能で箱本体１１の上下方向の移動を規制する抜止め用係合部を形成する。抜止め用係合部として、たとえば、嵌合部２２の下端から内側に折り曲げられて前記パレット１に係合可能な折曲げ部２４を形成する。【選択図】図２
2007204119.tif 000002
【特許請求の範囲】
【請求項１】
パレット上の物品を梱包するためのパレット用梱包箱において、
少なくとも４つの側壁を有する筒状の箱本体を備え、
前記箱本体の四隅の下端には、水平断面が略Ｌ字状に形成されると共に下方に突出して、前記パレットの四隅の外周側面に嵌合可能な嵌合部を形成し、
該嵌合部及び／又は前記側壁の内側に、前記パレットに係合可能で前記箱本体の上下方向の移動を規制する抜止め用係合部を形成していることを特徴とするパレット用梱包箱。
【請求項２】
請求項１記載のパレット用梱包箱において、
前記抜止め用係合部は、前記嵌合部の下端から内側に折り曲げられて前記パレットに係合可能な折曲げ部であることを特徴とするパレット用梱包箱。
【請求項３】
請求項１又は２記載のパレット用梱包箱において、
前記抜止め用係合部は、前記側壁の下端から内方に折り曲げられて前記パレットの物品載置面に当接可能な底板部であることを特徴とするパレット用梱包箱。
【請求項４】
請求項１〜３のいずれかに記載のパレット用梱包箱において、
前記箱本体の四隅の内側に支柱を装着していることを特徴とするパレット用梱包箱。
【請求項５】
請求項４記載のパレット用梱包箱において、
前記箱本体の隅部の下端部に、内方へ切り起こされると共に前記支柱により上方からパレット上面へ押さえ付けられる切起こし部を形成していることを特徴とするパレット用梱包箱。
【請求項６】
請求項５記載のパレット用梱包箱において、
前記支柱の下端により、前記切起こし部を下方へ撓ませていることを特徴とするパレット用梱包箱。
【請求項７】
請求項１〜６のいずれかに記載のパレット用梱包箱を組み付けていることを特徴とする梱包箱付パレット。
【発明の詳細な説明】
【技術分野】
【０００１】
本発明は、物品の輸送や保管のために、パレット上の物品を梱包する梱包箱及びこの梱包箱を備えたパレットに関する。
【背景技術】
【０００２】
図９〜図１１は、従来の梱包箱及びこの梱包箱が組み付けられるパレットの一例であり（特許文献１）、組付け前の状態を示す図９において、梱包箱１０５は、４つの側壁１０９により四角筒状に形成され、下端は開口し、上端には折曲げ可能な蓋部１１３が形成されている。パレット１００には、フォークリフトの爪が挿入可能な一対の空間部１０５が形成されると共に、物品載置面１００ａには、上方に突出する複数本の箱固定用ブラケット１０１並びにバンド係止金具１０２等が設けられている。前記ブラケット１０１には箱固定用の孔１１２が形成され、一方、梱包箱１０５の側面にも箱固定用の孔１１０が形成されている。
【０００３】
物品を梱包する際には、まず、パレット１００の物品載置面１００ａに物品を載せ、該物品を収納するように梱包箱１０５を上方から被せ、蓋部１１３を閉じ、そして、図１０に示すように、特殊な固定具１１９を用いて、梱包箱１０５の側壁１０９を各ブラケット１０１に固定している。また、梱包箱１０５が小さい場合には、図１１に示すように、バンド１２０を用いて梱包箱１０５をパレット１００に直接固定している。
【０００４】
このような梱包箱１０５及びパレット１００は、たとえば、出荷元で物品を梱包し、トラック、船又は飛行機に積載されて出荷先（仕向け先）まで輸送され、出荷先で開梱される。そして、開梱後、梱包箱１０５は一般的には廃棄されるが、パレット１００は、資源保護の観点から、出荷元に戻され、再利用されることが多い。したがって、梱包箱１０５としては、パレット１００に簡単に着脱でき、パレット１００の所定位置に安定した状態で固定できる構造が望まれ、一方、パレット１００としては、出荷元への返却時、輸送の利便性及びコストを考慮すると、コンパクトでかつ安定した状態で積載できる単純な構造が望まれる。
【特許文献１】特開２００２−２０５７３８号公報
【発明の開示】
【発明が解決しようとする課題】
【０００５】
図９〜図１１に示す従来例では、次のような課題がある。
（１）梱包箱１０５をパレット１００の所定位置に固定するために、バンド１２０や固定具１１９等の特別の固定用部材が必要になり、梱包コストが増加すると共に、図１１のようにバンド１２０のみで固定する場合には、輸送中あるいは積み卸し作業中に、梱包箱１０５が物品の移動により水平方向にずれたり、あるいは膨らんだりするおそれがある。
【０００６】
（２）梱包箱１０５をパレット１００に固定するために、パレット１００の物品載置面１００ａに上方突出状のブラケット１０１やバンド係止金具１０２等を設けているので、パレット１００の部品点数が増え、コストが高くなると共に、パレット製造に手間がかかる。しかも、パレット１００の単体を出荷先から出荷元に返却する時、パレット１００のみを積み重ねてトラック等に積載することになるが、ブラケット１０１等が邪魔になり、パレット１００を安定した状態でコンパクトに積載することが困難になる。
【０００７】
本発明の目的は、パレットの所定位置に簡単に組み付けることができ、保管及び輸送中に、箱の変形や膨らみが生じ難く、正常な箱形状を維持できる梱包箱を提供すると共に、パレットについても、構造が簡単で、パレット同士をコンパクトに積載できるようにすることである。
【課題を解決するための手段】
【０００８】
前記課題を解決するため、請求項１記載の発明は、パレット上の物品を梱包するためのパレット用梱包箱において、少なくとも４つの側壁を有する筒状の箱本体を備え、前記箱本体の四隅の下端には、水平断面が略Ｌ字状に形成されると共に下方に突出して、前記パレットの四隅の外周側面に嵌合可能な嵌合部を形成し、該嵌合部及び／又は前記側壁の内側に、前記パレットに係合可能で前記箱本体の上下方向の移動を規制する抜止め用係合部を形成している。
【０００９】
これによると、梱包箱は、嵌合部をパレットの四隅の外周側面に嵌合するだけで、パレットの所定位置に簡単に組み付けることができる。また、パレットの物品載置面には、上方に突出するような固定手段を設ける必要がなく、物品載置面の全面を平面状に維持できるので、たとえば、輸送後、パレットのみを出荷元に返却する際には、物品載置面上に次のパレットをコンパクトに載せることができ、パレット返却時の輸送に手間がかからず、輸送コストも低減できる。
【００１０】
請求項２記載の発明は、請求項１記載のパレット用梱包箱において、前記抜止め用係合部として、前記嵌合部の下端から内側に折り曲げられて前記パレットに係合可能な折曲げ部を形成している。
【００１１】
これによると、折り曲げ加工するだけで簡単に抜止め用係合部を形成することができ、構造が簡素化できる。
【００１２】
請求項３記載の発明は、請求項１又は２記載のパレット用梱包箱において、抜止め用係合部として、前記折曲げ部の代わりに、又は前記折曲げ部に加え、前記側壁の下端から内方に折り曲げられて前記パレットの物品載置面に当接可能な底板部を形成している。
【００１３】
これによると、折曲げ加工するだけで簡単に抜止め用係合部を形成することができるのは勿論のこと、物品の少なくとも一部が上記底板部に載せられることになるので、梱包箱の側壁が内部の物品からの荷重により外方に膨らむのを防止することができ、正常な箱形状を維持することができる。
【００１４】
請求項４記載の発明は、請求項１〜３のいずれかに記載のパレット用梱包箱において梱包箱の構造として、箱本体の四隅の内側に支柱を装着している。
【００１５】
これによると、梱包箱の強度を高めることができると共に、梱包箱を積み重ねる場合に、上に載っている梱包箱及び物品の重みを、支柱によって支えることができ、積載時の梱包箱の変形を防止できる。
【００１６】
請求項５記載の発明は、請求項４記載のパレット用梱包箱において、前記箱本体の隅部の下端部に、内方へ切り起こされると共に前記支柱により上方からパレット上面へ押さえ付けられる切起こし部を形成している。
【００１７】
これによると、梱包箱の隅部において、上側に積まれた梱包箱及び物品の重みにより嵌合部が膨らんで該嵌合部とパレットの側壁との間に支柱が落ち込むのを防止することができる。
【００１８】
請求項６記載の発明は、請求項５記載のパレット用梱包箱において、前記切起こし部を、前記支柱の下端により、下方へ撓ませている。
【００１９】
これによると、支柱を梱包箱の四隅に装着する時に、切起こし部に対する支柱の押さえ付けにより、梱包箱の側壁を及び嵌合部を箱内方に引き寄せ、梱包箱の側壁及び嵌合部をパレットの側壁にぴったりと沿わせることができ、それにより、安定した箱形状を維持できると共に、前述の支柱の落込みの防止効果も大きくなる。
【００２０】
請求項７記載の発明は、パレットの発明であり、前記請求項１〜６のいずれかに記載の梱包箱を、パレットに組み付けており、これによると、前述の各請求項による効果と同様な効果が得られる。
【発明の効果】
【００２１】
前述のように本発明によると、パレットの所定位置に簡単に組み付けることができ、保管及び輸送中に、箱の変形や膨らみが生じ難く、所定の箱形状を維持できる梱包箱を提供できると共に、パレットについても、構造が簡単で、パレット同士をコンパクトに積載できる。
【発明を実施するための最良の形態】
【００２２】
図１は、本発明によるパレット用梱包箱及びこの梱包箱が組み付けられるパレットの第１の実施の形態であり、図２は図１の分解斜視図、図３及び図４は要部の拡大斜視図、図５及び図６は要部の拡大断面図、図７は梱包箱の素材の平面図、図８は組立途中の状態を示す斜視図であり、これらの図面に基づいて本発明を詳細に説明する。
【００２３】
［組付け前の梱包箱及びパレット］
図２は、組付け前のパレット用梱包箱１０及びパレット１の分解斜視図であり、パレット１は、たとえば硬質樹脂でできており、平面視で略正方形状又は長方形状に形成されると共に、所定の厚み（高さ）Ｈ１を有している。パレット１の上端は略水平な平面状の物品載置面１ａとなっている。パレット１の各側壁２には、フォークリフトの爪を挿入するための爪挿入孔３がそれぞれ一対形成されており、側壁２の上端には、物品載置面１ａの全周に亘り、又は、少なくとも四隅近傍に、外方に張り出すリブ５がパレット１と一体に形成されている。
【００２４】
梱包箱１０は、四つの側壁１２により四角筒状に形成された箱本体１１と、この箱本体１１の四隅の内面に固着又は着脱可能に装着される水平断面Ｌ字状の４本の支柱１３とを備えており、箱本体１１の内面形状及び寸法は、パレット１の外周側面の形状及び寸法に略対応している。該実施の形態では、箱本体１１は段ボール紙製であり、支柱は木製である。
【００２５】
箱本体１１の各側壁１２の上端には、折曲げ自在な蓋部２０がそれぞれ箱本体１１と一体に形成されており、箱本体１１の四隅の下端には、側壁１２の下端１２ａより所定長さＨ２だけ下方に突出する水平断面Ｌ字状の嵌合部２２が、それぞれ箱本体１１と一体に形成されている。各嵌合部２２は、互いに略直角に結合される一対の壁部２３によりＬ字状に構成されており、壁部２３の前記長さＨ２は、パレット１の厚みＨ１よりも少し短く形成されている。各壁部２３には、抜止め用係合部の一例として、各壁部２３の下端から内側に折り曲げられて上向きに突出する折曲げ部２４がそれぞれ壁部２３と一体に形成されている。
【００２６】
箱本体１１の各側壁１２の下端には、隣り合う嵌合部２２間に、箱本体１１の内方に向けて略水平に突出する底板部２５が側壁１２と一体に折曲げ形成されており、さらに、各側壁１２の下端部の隅部近傍位置には、前記側壁１２の下端１２ａよりも所定距離ｄ１だけ上方位置に、箱本体１１の内方へ突出する切起こし部２７が、側壁１２から切り起こされている。
【００２７】
図４は、梱包箱１０の一つの嵌合部２２を斜め下方から見た拡大斜視図であり、嵌合部２２に形成された抜止め用折曲げ部２４の上下方向の長さＨ３は、壁部２３の上下方向の長さＨ２よりも、所定長さ、たとえば数ｍｍから数十ｍｍだけ短く形成されており、それにより、折曲げ部２４を、仮想線で示すように壁部２３の内面に接触するまで折り曲げた時に、折曲げ部２４の上端が、箱本体１１の側壁１２の下端１２ａよりも所定距離ｄ２だけ下方に位置するようになっている。また、一つの嵌合部２２に備えられた一対の折曲げ部２４のうち、一方の折曲げ部２４の上端部には、他方の折曲げ部２４に近い側の端部にＬ字状の切欠き２４ａが形成されており、この切欠き２４ａに他方の折曲げ部２４の端部を係合させることにより、両折曲げ部２４が内方に開かないように互いに規制している。また、各壁部２３の側端縁の上端と側壁１２の下端１２ａとは、凹状のアール部２３ａを介してつながっており、これにより、壁部２３の側端縁の上端に、応力が集中しないようになっている。すなわち、角部から破れにくくしている。
【００２８】
底板部２５の基端部（折曲げ側の端部）の両側には、嵌合部２２の側端縁２３に前述のように凹状のアール部２３ａを形成していることに対応して、自動的に、凸状のアール部２５ｂが形成されている。底板部２５の自由端部の両側には、斜めの切欠き２５ａが形成されており、これにより、隣り合う底板部２５の自由端部の両側が重なり合うことなく、底板部２５の内方突出長さを長くしている。
【００２９】
側壁１２から切り起こされた切起こし部２７の上下方向の位置は、前述のように、側壁１２の下端１２ａから所定距離ｄ１だけ上方に形成されているが、その距離ｄ１は、たとえば数ｍｍから数十ｍｍ程度である。
【００３０】
図１は、梱包箱１０をパレット１に組み付けた後の状態を示しており、梱包箱１０の嵌合部２２は、パレット１の四隅の外周側面に嵌合し、パレット１の爪挿入孔３は、嵌合部２２間で外部に露出し、フォークリフトの爪を挿入できるようになっている。嵌合部２２の下端は、パレット１の下端（最下端）よりも少し上方に位置している。図１の状態の梱包箱１０内に物品を収納すると共にパレット１上に載せ、上方から段ボール紙製の覆い板３０を被せ、各蓋部２０を内方に折り曲げて梱包箱１０を閉じ、ステップラ等により、蓋部２０同士並びに蓋部２０と覆い板３０とを結合する。
【００３１】
［パレットへの組付け手順及び組付け後の各部の詳細な構成］
図２の状態から図１の状態までの組付け手順を説明する。図２において、箱本体１１を上方からパレット１に被せ、四隅の嵌合部２２をパレット１の四隅の外周側面にそれぞれ嵌合する。その時、四つの底板部２５はパレット１の物品載置面１ａに載せられ、切起こし部２７は、パレット１の物品載置面１ａに当接しているか、あるいは少し上方に位置している。
【００３２】
次に、４本の支柱１３を箱本体１１内の四隅に挿入し、各支柱１３の下端で各切起こし部２７を押さえ付けることにより、切起こし部２７を下方へ撓ませた状態とし、ステップラ等の固着具により、各支柱１３を箱本体１１の四隅の内面に固着する。これにより、図１のような梱包箱付きパレット１が完成する。
【００３３】
図５は図１のV-V断面拡大図であり、嵌合部２２の折曲げ部２４の上端は、パレット１の側壁２の上端リブ５に下方から係合しており、これにより、箱本体１１がパレット１から上方に抜けないようになっている。また、切起こし部２７は、前述のように側壁１２の下端１２ａよりも所定間隔ｄ１だけ上方位置から折り曲げられ、かつ、支柱１３の下端で下方に押さえ付けられることにより、下方に撓んでパレット１の物品載置面１ａに当接すると共に、側壁１２の隅部及び嵌合部２２を箱本体１１の内方に引き付けている。これにより、側壁１２の隅部及び嵌合部２２が外方に膨らむのを防止すると共に、たとえば上方に積まれた他の梱包箱及びその物品の荷重により嵌合部２２とパレット１の側壁２との間に支柱１３が落ち込むのを防止している。
【００３４】
図６は図１のVI-VI断面拡大図であり、底板部２５はパレット１の物品載置面１ａに当接しており、物品収納時、物品Ｗの一部が底板部２５に載せられることにより、底板部２５は物品載置面１ａに固定される。
【００３５】
図３は、梱包箱１０の内部の斜視図であり、一本の支柱１３により、一対の切起こし部２７を下方に押さ付けている。
【００３６】
［梱包箱の製作］
図２に示すような梱包箱１０を、平面状素材から製作する方法の一例を説明する。
（１）図７は段ボール紙製の平面状素材を示しており、かかる平面状素材を２枚利用して一個の梱包箱１０を製作する。一枚の平面状素材には、箱本体１１の側壁１２と共に、蓋部２０、嵌合部２２、抜止め用折曲げ部２４、切起こし部２７及び底板部２５となる部分が一体に型取りされると共に、一方の側壁１２の端縁には、相手側の平面状素材に結合するための連結片３１も一体に形成されている。破線は折曲げ線を示し、細線は切断線を示している。
【００３７】
（２）まず、２枚の平面状素材を重ね合わせ、互いの連結片３１を介して両側端縁同士を、ステップラ又は接着材等の結合手段により結合し、側壁１２間の折り目を略直角に折り曲げることにより、全体を四角筒状に形成する。
【００３８】
（３）次に、図８に示すように箱本体１１を上下逆向きに置き、各嵌合部２２の各抜止め用折曲げ部２４、各底板部２５及び各切起こし部２７をそれぞれ内方に折り曲げ又は切起こす。この時、各嵌合部２２内の隣り合う折曲げ部２４同士は、図４のように切欠き２４ａを利用して係合することにより、内方に開かないように固定する。
【００３９】
（４）そして、図２に示すように箱本体１１を上下方向の正しい位置に戻し、前述のように、パレット１に組み付ける。組付け時、嵌合部２２の折曲げ部２４は上向きに折り曲げられているので、嵌合部２２をパレット１の隅部の外周側面に、滑らかに嵌めることができる。
【００４０】
［利用方法の一例］
梱包箱１０及びパレット１の利用方法の一例を説明すると、図１に示すように完成された梱包箱１０内に物品を収納し、覆い板３０を被せて蓋部２０を閉じ、たとえばコンテナに収納した状態でトラック、船又は飛行機等の輸送手段に積載し、目的地の出荷先まで輸送される。出荷先において、開梱し、物品を取り出した後は、段ボール紙製の梱包箱１０は廃棄し、一方、樹脂製のパレット１は、再利用のために、出荷元に返却される。パレット１を返却する際には、パレット１のみをコンテナ等に収納した状態で、又は直接トラック等の輸送手段に積載することになるが、積載時、パレット同士を、コンパクトに、かつ、安定した状態で積み上げることができ、積載作業が能率良く行えると共に、輸送コストも節約できる。
【００４１】
［実施の形態の効果のまとめ］
（１）図１及び図２において、箱本体１１の四隅の下端に下方突出状に形成された嵌合部２２を、パレット１の四隅の外周側面に嵌合することにより、箱本体１１をパレット１に組み付けているので、パレット１に特別の位置決め部材又は箱固定部材を設けていなくとも、パレット１に対する梱包箱１０の位置決め及び組付けを簡単に行えると共に、組付け後、内部の物品からの荷重等によりパレット１に対して梱包箱１０が水平方向にずれるおそれもない。
【００４２】
（２）嵌合部２２の内側に、上方に突出する折曲げ部２４を嵌合部と一体に形成し、該折曲げ部２４の上端をパレット１のリブ５に下方から係合し、梱包箱１０の抜止めとしているので、たとえば釘、バンドあるいは他の箱固定手段を備える必要がなく、部品点数の節約ができる。また、折曲げ部２４は上方に折り曲げられているので、嵌合部２２をパレット１の隅部に上方から嵌合する際、折曲げ部２４がリブ５やパレット１の物品載置面１ａに引っ掛かることはなく、組付け作業が速やかに行なえる。
【００４３】
（３）梱包箱１０の下端部の四隅近傍位置に内方へ突出する切起こし部２７を形成し、この切起こし部２７を、支柱１３の下端で下方へ押さえ付けることにより、下方に撓ませているので、パレット１に梱包箱１０を組み付ける際、梱包箱１０の隅部の下端部はパレット１側に引寄せられ、これにより、パレット１の側面と嵌合部２２及び側壁１２とのすき間を可能な限り小さくでき、箱を正常な形状に安定維持できる。しかも、梱包箱１０を積み重ねた時に、上方の梱包箱１０及び物品の荷重により支柱１３が下方に押されても、支柱１３が側壁１２及び嵌合部２２とパレット１とのすき間から下方に落ち込むおそれもない。
【００４４】
（４）側壁１２の下端１２ａに形成された底板部２５を、パレット１の物品載置面１ａに当接するようにしているので、この底板部２５に物品が載せられることにより、底板部２５が固定され、これによっても、梱包箱１０の抜止めを行えると共に、梱包箱１０の側壁１２が外方に膨らむのを防止することができる。
【００４５】
（５）梱包箱１０の側壁１２を形成するための平面状素材に、蓋部２０、嵌合部２２、底板部２５、切起こし部２７及び折曲げ部２４となる部分を一体に型取りし、この平面状素材の各部に相当する部分を、折り曲げ又は切り起こすことにより、前記各部２０，２２，２５、２７及び２４を形成しているので、材料コストを低減できると共に、梱包箱１０の製作も容易になる。
【００４６】
（６）嵌合部２２の一方の折曲げ部２４に切欠き２４ａを形成し、この切欠き２４ａに他方の折曲げ部２４の端部を係合させることにより、両折曲げ部２４が内方に開かないようにしているので、梱包箱１０をパレット１に組み付ける際に、折曲げ部２４を作業者が手で押さえ付けておく必要がなく、簡単かつスムーズに、嵌合部２２をパレット１に嵌合することができる。
【００４７】
（７）嵌合部２２の壁部２３と側壁１２の下端１２ａとの間を、アール部２３ａによりつないでいるので、応力集中を避けることができ、上方からの荷重あるいは収納された物品からの荷重により、嵌合部２０の側端縁の上端が裂けるおそれはない。
【００４８】
（８）底板部２５の自由端部の両側に、斜めの切欠き２５ａを形成しているので、組付け時、隣り合う底板部２５の自由端部の両側が重なり合うことなく、底板部２５の内方突出長を長くすることができ、物品を安定した状態に保持することができる。
【００４９】
［その他の実施の形態］
（１）前記実施の形態では、梱包箱は段ボール紙製であるが、段ボール紙製には限定されず、たとえば、樹脂製とすることも可能である。また、パレットとしては、木製又は金属製等のパレットを用いることも可能である。
【００５０】
（２）前記実施の形態では、箱本体は４つの側壁により四角筒状に形成されているが、四角筒状には限定されず、少なくとも下端部にパレットの四隅に嵌合可能な嵌合部を備えた筒状であれば、たとえば５つ以上の側壁を有する箱本体とすることも可能である。
【００５１】
（３）前記実施の形態では、嵌合部の折曲げ部を上方突出状に形成しているが、たとえば嵌合部の内面から側壁と略直交するように内方に突出させることもできる。
【００５２】
（４）前記実施の形態では、支柱として水平断面形状がＬ字状の部材を用いているが、四角柱状の部材を用いることもでき、特別な場合、たとえば梱包箱を複数段に積み重ねない状態で保管又は輸送するような場合や、荷物が軽く、複数段に積み重ねても下の箱がつぶれない場合には、支柱を省略することも可能である。
【００５３】
（５）前記実施の形態では、嵌合部の折曲げ部を、パレットのリブに係合させているが、その他に、パレットの側壁に凹部があれば、その凹部に係合させる構造とすることもできる。
【００５４】
（６）その他、本願の特許請求の範囲に記載した内容を逸脱しない範囲内において、各種変形例を適用できることは勿論である。
【図面の簡単な説明】
【００５５】
【図１】本発明による梱包箱をパレットに組み付けた状態を示す斜視図である。
【図２】図１の梱包箱及びパレットの分解斜視図である。
【図３】組付後の梱包箱の内部の拡大斜視図である。
【図４】梱包箱の下端の一隅部を、斜め下方から見た拡大斜視図である。
【図５】図１のV-V断面拡大図である。
【図６】図１のVI-VI断面拡大図である。
【図７】梱包箱用の平面状素材の平面図である。
【図８】上下を逆向きにした状態で示す梱包箱の斜視図である。
【図９】従来例の梱包箱の組付け前の斜視図である。
【図１０】図９の従来例の組付け状態の一例を示す斜視図である。
【図１１】図９の従来例の組付け状態の一例を示す斜視図である。
【符号の説明】
【００５６】
１  パレット
５  リブ
１０  梱包箱
１１  箱本体
１２  側壁
１３  支柱
２２  嵌合部
２４  抜止め用折曲げ部（抜止め用係合部の一例）
２５  底板部（抜止め用係合部の別の例）
２７  切起こし部
【図１】
2007204119.tif 000003
【図２】
2007204119.tif 000004
【図３】
2007204119.tif 000005
【図４】
2007204119.tif 000006
【図５】
2007204119.tif 000007
【図６】
2007204119.tif 000008
【図７】
2007204119.tif 000009
【図８】
2007204119.tif 000010
【図９】
2007204119.tif 000011
【図１０】
2007204119.tif 000012
【図１１】
2007204119.tif 000013